(57)【要約】  紙葉類処理装置（１０）は、筐体（１２）と、バラ紙葉類を筐体（１２）の内部から外部に投出するためのバラ紙葉類投出口（２０）と、帯封紙葉類を筐体（１２）の内部から外部に投出するための帯封紙葉類投出口（６０）と、を備えている。紙葉類処理装置（１０）において、筐体（１２）内にあるバラ紙葉類をバラ紙葉類投出口（２０）および帯封紙葉類投出口（６０）のうちどちらの紙葉類投出口により筐体（１２）の外部に投出するかを選択することができるようになっている。
2010097913.tif 000002
【特許請求の範囲】
【請求項１】
筐体と、
バラ紙葉類を前記筐体の内部から外部に投出するためのバラ紙葉類投出口と、
帯封紙葉類を前記筐体の内部から外部に投出するための帯封紙葉類投出口と、
を備え、
前記筐体内にあるバラ紙葉類を前記バラ紙葉類投出口および前記帯封紙葉類投出口のうちどちらの紙葉類投出口により前記筐体の外部に投出するかを選択することができるようになっていることを特徴とする紙葉類処理装置。
【請求項２】
前記筐体の内部に設けられ、積層状態に集積された複数のバラ紙葉類を帯封するための帯封部を更に備え、
前記帯封紙葉類投出口は、前記帯封部により帯封が行われた帯封紙葉類を前記筐体の内部から外部に投出するようになっていることを特徴とする請求項１記載の紙葉類処理装置。
【請求項３】
前記帯封部は、複数のバラ紙葉類が積層状態に集積される一時保留部と、積層状態に集積された複数のバラ紙葉類の帯封を行う帯封機構と、前記一時保留部にあるバラ紙葉類の束を前記帯封機構に搬送するとともに、前記帯封機構により帯封が行われた帯封紙葉類を前記帯封機構から前記帯封紙葉類投出口に搬送する搬送アームとを有し、
前記筐体内にあるバラ紙葉類を前記帯封紙葉類投出口により前記筐体の外部に投出する際には、前記一時保留部にバラ紙葉類を送り、前記搬送アームにより前記一時保留部から前記帯封紙葉類投出口にバラ紙葉類が直接搬送されるようになっていることを特徴とする請求項２記載の紙葉類処理装置。
【請求項４】
前記帯封紙葉類投出口には、帯封紙葉類やバラ紙葉類を載置するための載置機構と、前記載置機構の下方において昇降自在に設けられた昇降台とが設けられており、
前記帯封紙葉類投出口に送られた帯封紙葉類やバラ紙葉類はまず昇降台に載せられ、この昇降台が上昇して前記載置機構に到達することにより前記昇降台上の帯封紙葉類やバラ紙葉類が前記載置機構に引き渡されるようになっていることを特徴とする請求項１記載の紙葉類処理装置。
【請求項５】
前記帯封紙葉類投出口により帯封紙葉類およびバラ紙葉類の両方の紙葉類を筐体の内部から外部に投出する際に、まず帯封紙葉類が前記載置機構に載置され、次にバラ紙葉類が載せられた昇降台が上昇して前記載置機構に到達することにより帯封紙葉類の下方において前記昇降台上のバラ紙葉類が前記載置機構に引き渡されるようになっていることを特徴とする請求項４記載の紙葉類処理装置。
【請求項６】
前記筐体内にあるバラ紙葉類を前記筐体の外部に投出する際に、まず、前記バラ紙葉類投出口および前記帯封紙葉類投出口のうち一方の紙葉類投出口にバラ紙葉類を送り、この一方の紙葉類投出口に所定の枚数のバラ紙葉類が送られたら他方の紙葉類投出口に残りのバラ紙葉類を送ることを特徴とする請求項１記載の紙葉類処理装置。
【発明の詳細な説明】
【技術分野】
【０００１】
本発明は、筐体の内部から外部への紙葉類の投出を行う紙葉類処理装置に関し、とりわけ、操作者にとって使い勝手の良いものとすることができる紙葉類処理装置に関する。
【背景技術】
【０００２】
従来から、貨幣の入出金を行う入出金システムとして、特公平３−５０３１５号公報（ＪＰ３−５０３１５Ｂ２）等に開示されるものが知られている。特公平３−５０３１５号公報に開示されるような従来の入出金システムにおいては、同一の出金口に、帯封紙幣およびバラ紙幣の両方を集積して投出するようになっている。
【発明の開示】
【０００３】
しかしながら、特公平３−５０３１５号公報に開示されるような入出金システムにおいては、出金口に帯封紙幣およびバラ紙幣の両方が一括して投出されるため、これらの紙幣の集積高さが大きい場合には操作者が出金口から紙幣を取り出す際に片手により一掴みで紙幣の束を取ることができない場合があった。このように、１つの出金口に帯封紙幣およびバラ紙幣の両方が一括して投出される場合、操作者は両手で紙幣の束を取り出したり、何回かにわけて紙幣の束を取り出したりしなければならず、操作者にとって使い勝手が悪いという問題があった。
【０００４】
本発明は、このような点を考慮してなされたものであり、筐体内にあるバラ紙葉類をバラ紙葉類投出口および帯封紙葉類投出口のうちどちらの紙葉類投出口により筐体の外部に投出するかを選択することができ、このため操作者の希望に応じて、バラ紙葉類および帯封紙葉類を帯封紙葉類投出口からまとめて投出するか、あるいはバラ紙葉類および帯封紙葉類を２つの紙葉類投出口からそれぞれ別々に投出するかを選ぶことができるようになり、操作者にとって使い勝手の良いものとすることができる紙葉類処理装置を提供することを目的とする。
【０００５】
本発明の紙葉類処理装置は、筐体と、バラ紙葉類を前記筐体の内部から外部に投出するためのバラ紙葉類投出口と、帯封紙葉類を前記筐体の内部から外部に投出するための帯封紙葉類投出口と、を備え、前記筐体内にあるバラ紙葉類を前記バラ紙葉類投出口および前記帯封紙葉類投出口のうちどちらの紙葉類投出口により前記筐体の外部に投出するかを選択することができるようになっていることを特徴とする。
【０００６】
このような紙葉類処理装置によれば、筐体内にあるバラ紙葉類をバラ紙葉類投出口および帯封紙葉類投出口のうちどちらの紙葉類投出口により筐体の外部に投出するかを選択することができる。このため、操作者の希望に応じて、バラ紙葉類および帯封紙葉類を帯封紙葉類投出口からまとめて投出するか、あるいはバラ紙葉類をバラ紙葉類投出口から投出させることによりバラ紙葉類および帯封紙葉類を２つの紙葉類投出口からそれぞれ別々に投出するかを選ぶことができるようになる。ここで、バラ紙葉類をバラ紙葉類投出口から投出させることによりバラ紙葉類および帯封紙葉類を２つの紙葉類投出口からそれぞれ別々に投出する場合は、バラ紙葉類の処理および帯封紙葉類の処理を並行して行うことができるようになるので紙葉類を迅速に処理することができ、このため紙葉類の効率的な投出動作を行うことができる。一方、バラ紙葉類を帯封紙葉類投出口から投出させることによりバラ紙葉類および帯封紙葉類を帯封紙葉類投出口からまとめて投出する場合は、操作者は一つの紙葉類投出口からバラ紙葉類および帯封紙葉類の両方を取り出すこととなるので、操作者がバラ紙葉類または帯封紙葉類のうち一方の取り出しを忘れることを防止することできるようになり、操作者にとっての操作性を向上させることができる。
【０００７】
以上のように、筐体内にあるバラ紙葉類をバラ紙葉類投出口および帯封紙葉類投出口のうちどちらの紙葉類投出口により筐体の外部に投出するかを選択することができるようにすることによって、紙葉類処理装置を、操作者にとって使い勝手の良いものとすることができる。
【０００８】
本発明の紙葉類処理装置においては、前記筐体の内部に設けられ、積層状態に集積された複数のバラ紙葉類を帯封するための帯封部を更に備え、前記帯封紙葉類投出口は、前記帯封部により帯封が行われた帯封紙葉類を前記筐体の内部から外部に投出するようになっていることが好ましい。
【０００９】
この際に、前記帯封部は、複数のバラ紙葉類が積層状態に集積される一時保留部と、積層状態に集積された複数のバラ紙葉類の帯封を行う帯封機構と、前記一時保留部にあるバラ紙葉類の束を前記帯封機構に搬送するとともに、前記帯封機構により帯封が行われた帯封紙葉類を前記帯封機構から前記帯封紙葉類投出口に搬送する搬送アームとを有し、前記筐体内にあるバラ紙葉類を前記帯封紙葉類投出口により前記筐体の外部に投出する際には、前記一時保留部にバラ紙葉類を送り、前記搬送アームにより前記一時保留部から前記帯封紙葉類投出口にバラ紙葉類が直接搬送されるようになっていることがより好ましい。
【００１０】
本発明の紙葉類処理装置においては、前記帯封紙葉類投出口には、帯封紙葉類やバラ紙葉類を載置するための載置機構と、前記載置機構の下方において昇降自在に設けられた昇降台とが設けられており、前記帯封紙葉類投出口に送られた帯封紙葉類やバラ紙葉類はまず昇降台に載せられ、この昇降台が上昇して前記載置機構に到達することにより前記昇降台上の帯封紙葉類やバラ紙葉類が前記載置機構に引き渡されるようになっていることが好ましい。
【００１１】
この際に、前記帯封紙葉類投出口により帯封紙葉類およびバラ紙葉類の両方の紙葉類を筐体の内部から外部に投出する際に、まず帯封紙葉類が前記載置機構に載置され、次にバラ紙葉類が載せられた昇降台が上昇して前記載置機構に到達することにより帯封紙葉類の下方において前記昇降台上のバラ紙葉類が前記載置機構に引き渡されるようになっていることがより好ましい。
【００１２】
本発明の紙葉類処理装置においては、前記筐体内にあるバラ紙葉類を前記筐体の外部に投出する際に、まず、前記バラ紙葉類投出口および前記帯封紙葉類投出口のうち一方の紙葉類投出口にバラ紙葉類を送り、この一方の紙葉類投出口に所定の枚数のバラ紙葉類が送られたら他方の紙葉類投出口に残りのバラ紙葉類を送ることが好ましい。
【図面の簡単な説明】
【００１３】
【図１】本発明の一の実施の形態における紙幣処理装置の外観を示す斜視図である。
【図２】図１に示す紙幣処理装置の正面図である。
【図３】図１に示す紙幣処理装置の内部の構成を示す構成図である。
【図４】図３に示す紙幣処理装置に設けられた分岐部材の構成を示す拡大説明図であり、より詳細には、分岐箇所に対して右側の搬送路から紙幣が搬送されたときの分岐部材の向きを示す図である。
【図５】図３に示す紙幣処理装置に設けられた分岐部材の構成を示す拡大説明図であり、より詳細には、分岐箇所に対して左側の搬送路から紙幣が搬送されたときの分岐部材の向きを示す図である。
【図６】図３に示す紙幣処理装置に設けられた分岐部材の構成を示す拡大説明図であり、より詳細には、分岐箇所に対して分岐搬送路から紙幣が搬送されたときの分岐部材の向きを示す図である。
【図７】図３に示す紙幣処理装置に設けられた帯封紙幣出金口およびシャッター機構の構成を示す側面図である。
【図８】図７に示す帯封紙幣出金口に設けられた出金口ステージおよびこの出金口ステージの上方の空間に進入した搬送アームのＡ−Ａライン矢視による上面図である。
【図９】図７に示す帯封紙幣出金口に設けられた出金口ステージおよび爪部材のＢ−Ｂライン矢視による上面図である。
【図１０】（ａ）〜（ｇ）は、図３に示す紙幣処理装置に設けられた帯封部から帯封紙幣出金口に帯封紙幣が引き渡されるときの動作を順に示す図である。
【図１１】（ａ）〜（ｇ）は、帯封紙幣出金口の各爪部材上に既に帯封紙幣が載置されているような状態において、搬送アームにより帯封紙幣出金口にバラ紙幣の束が送られたときの動作を順に示す図である。
【図１２】図１等に示す紙幣処理装置の制御ブロック図である。
【図１３】図１等に示す紙幣処理装置による一連の動作を示すフローチャートである。
【発明を実施するための形態】
【００１４】
以下、図面を参照して本発明の一の実施の形態について説明する。図１乃至図１３は、本実施の形態に係る紙幣処理装置を示す図である。このうち、図１は、本実施の形態における紙幣処理装置の外観を示す斜視図であり、図２は、図１に示す紙幣処理装置の正面図である。また、図３は、図１に示す紙幣処理装置の内部の構成を示す構成図であり、図４乃至図６は、図３に示す紙幣処理装置に設けられた分岐部材の構成を示す拡大説明図である。また、図７乃至図９は、図３に示す紙幣処理装置に設けられた帯封紙幣出金口およびシャッター機構の構成を示す側面図である。また、図１０（ａ）〜（ｇ）は、図３に示す紙幣処理装置に設けられた帯封部から帯封紙幣出金口に帯封紙幣が受け渡されるときの動作を順に示す図であり、図１１（ａ）〜（ｇ）は、帯封紙幣出金口の各爪部材上に既に帯封紙幣が載置されているような状態において、搬送アームにより帯封紙幣出金口にバラ紙幣の束が送られたときの動作を順に示す図である。また、図１２は、図１等に示す紙幣処理装置の制御ブロック図であり、図１３は、図１等に示す紙幣処理装置による一連の動作を示すフローチャートである。
【００１５】
まず、図１乃至図３を用いて、本実施の形態の紙幣処理装置１０の全体的な構成について概略的に説明する。なお、図３において、参照符号Ｓはバラ紙幣を示し、参照符号Ｓ´は積層状態に集積されたバラ紙幣の束を示し、参照符号Ｔは帯封紙幣を示す。図１に示すように、紙幣処理装置１０は略直方体形状の筐体１２を備えており、この筐体１２の前面には、当該筐体１２の外部から内部にバラ紙幣を投入するとともに筐体１２の内部から外部にバラ紙幣を投出するための入出金口２０が筐体１２の外部に露出するよう設けられている。入出金口２０には開口部が設けられており、この開口部にはシャッター機構２２が設けられている。そして、シャッター機構２２により入出金口２０の開口部の開閉が行われるようになっている。また、図３等に示すように、筐体１２の下部には４つの収納カセット４０および１つの一時保留用収納カセット４２が略水平方向に沿って並列に設けられている。ここで、各収納カセット４０は、紙幣を金種別に収納するようになっている。また、一時保留用収納カセット４２は、入出金口２０により筐体１２の外部から内部に投入された紙幣を一時的に保留するようになっている。
【００１６】
また、図３等に示すように、筐体１２の内部において各収納カセット４０および一時保留用収納カセット４２の上方には搬送部３０が設けられており、この搬送部３０は、入出金口２０、各収納カセット４０および一時保留用収納カセット４２の間で紙幣の搬送を行うようになっている。また、筐体１２の内部において搬送部３０の上方には、この搬送部３０から搬送された紙幣を帯封するための帯封部５０が設けられている。また、筐体１２の前面には、帯封部５０により帯封が行われた帯封紙幣を筐体１２の外部に投出するための帯封紙幣出金口６０が筐体１２の外部に露出するよう設けられている。図１や図２に示すように、帯封紙幣出金口６０は入出金口２０の近傍に設けられている。また、帯封紙幣出金口６０には開口部が設けられており、この開口部にはシャッター機構６２が設けられている。そして、シャッター機構６２により帯封紙幣出金口６０の開口部の開閉が行われるようになっている。
【００１７】
また、図１２に示すように、紙幣処理装置１０には、当該紙幣処理装置１０の各構成要素を制御するための制御部７０が設けられている。
【００１８】
以下、このような紙幣処理装置１０の各構成要素について詳述する。
【００１９】
入出金口２０は、図１乃至図３に示すように、筐体１２の前面に設けられており、操作者がこの入出金口２０にバラ紙幣Ｓの束を投入したりこの入出金口２０からバラ紙幣Ｓの束を取り出したりすることができるよう構成されている。より具体的には、図３に示すように入出金口２０は鉛直方向に対して斜めに傾斜しており、この入出金口２０にはバラ紙幣Ｓが斜めに傾斜して投入されるようになっている。入出金口２０には紙幣繰出機構２１が設けられており、この紙幣繰出機構２１により入出金口２０に集積されたバラ紙幣Ｓが１枚ずつ搬送部３０に繰り出されるようになっている。このような紙幣繰出機構２１の動作は、後述する制御部７０により制御されるようになっている。また、バラ紙幣の出金処理を行う際には、搬送部３０からバラ紙幣Ｓが１枚ずつ入出金口２０に送られるようになっている。このように、入出金口２０は、バラ紙幣Ｓを筐体１２の内部から外部に投出するためのバラ紙幣投出口としての機能を有している。
【００２０】
図１等に示すように、入出金口２０の開口部にはシャッター機構２２が設けられており、このシャッター機構２２により入出金口２０の開口部が開閉されるようになっている。より具体的には、操作者が入出金口２０にバラ紙幣Ｓの束を投入したり入出金口２０から  バラ紙幣Ｓの束を取り出したりする際には、シャッター機構２２が開いて入出金口２０が筐体１２の外部に露出されるようになっている。一方、入出金口２０に集積されたバラ紙幣Ｓが１枚ずつ紙幣繰出機構２１により搬送部３０に繰り出されたり搬送部３０から入出金口２０にバラ紙幣Ｓが１枚ずつ送られたりする際には、シャッター機構２２が入出金口２０を閉じるようになっている。このようなシャッター機構２２の動作は、後述する制御部７０により制御されるようになっている。
【００２１】
図３に示すように、搬送部３０には識別部３１が設置されている。識別部３１は、入出金口２０から搬送部３０に繰り出された紙幣の金種や正損、真偽等を識別するようになっている。識別部３１による紙幣の識別結果は後述する制御部７０に送られるようになっている。また、筐体１２の内部には入金リジェクト部２４が設けられており、この入金リジェクト部２４は搬送部３０に接続されている。そして、入金された紙幣のうち識別部３１により正常な紙幣ではないリジェクト紙幣であると識別された紙幣や、識別部３１により識別することができなかった紙幣は搬送部３０から入金リジェクト部２４に送られるようになっている。また、筐体１２の内部には出金リジェクト部２６が設けられており、この出金リジェクト部２６は搬送部３０に接続されている。そして、出金の際に一時保留用収納カセット４２から繰り出された紙幣のうち、識別部３１により識別することができなかった紙幣や、重なって搬送されたり斜行して搬送されたりした紙幣は、搬送部３０から出金リジェクト部２６に送られるようになっている。
【００２２】
図３に示すように、各収納カセット４０および一時保留用収納カセット４２は、筐体１２の奥行き方向（図３の左右方向）に沿って並列に配置されている。各収納カセット４０および一時保留用収納カセット４２にはそれぞれ搬送部３０から１枚ずつ紙幣が送られるようになっている。ここで、各収納カセット４０および一時保留用収納カセット４２はそれぞれ扁平状の略直方体形状のものからなり、搬送部３０から送られた紙幣が積層状態に収納されるようになっている。また、各収納カセット４０および一時保留用収納カセット４２にはそれぞれ紙幣繰出機構４１、４３が設けられており、これらの収納カセット４０や一時保留用収納カセット４２に収納された紙幣は紙幣繰出機構４１、４３により１枚ずつ搬送部３０に繰り出すことができるようになっている。これらの紙幣繰出機構４１、４３の動作は、後述する制御部７０により制御されるようになっている。
【００２３】
ここで、一時保留用収納カセット４２は各収納カセット４０と略同一の容量（紙幣収納量）を有していてもよい。この場合には、一時保留用収納カセット４２を収納カセット４０と同一部品で構成させることができるようになる。
【００２４】
図３に示すように、搬送部３０は、各収納カセット４０および一時保留用収納カセット４２の上方に配置される横長のループ形状の搬送路３２を有している。また、搬送部３０は、ループ形状の搬送路３２からそれぞれ下方に分岐して各収納カセット４０および一時保留用収納カセット４２に接続される複数の分岐搬送路３４を有している。このため、図３に示すように、搬送部３０には、ループ形状の搬送路３２と各々の分岐搬送路３４とが接続される箇所である分岐箇所３５（Ｔ字路）が、搬送路３２に沿って複数形成されることとなる。
【００２５】
搬送部３０の搬送路３２における各収納カセット４０または一時保留用収納カセット４２への分岐箇所３５には、分岐爪からなる分岐部材３６がそれぞれ設けられている。各分岐部材３６は、搬送部３０の搬送路３２により搬送される紙幣を特定の収納カセット４０または一時保留用収納カセット４２に振り分けるようになっている。
【００２６】
分岐箇所３５に設置される分岐部材３６の具体的な構成について図４乃至図６を用いて説明する。ここで、図４は、分岐箇所３５に対して右側の搬送路３２から紙幣が搬送されたときの分岐部材３６の向きを示す図であり、図５は、分岐箇所３５に対して左側の搬送路３２から紙幣が搬送されたときの分岐部材３６の向きを示す図であり、図６は、分岐箇所３５に対して分岐搬送路３４から紙幣が搬送されたときの分岐部材３６の向きを示す図である。
【００２７】
図４乃至図６に示すように、分岐部材３６は細長い二等辺三角形形状（いわゆる洗濯バサミに似た形状）の分岐爪からなり、この分岐部材３６は、その中心の位置に設けられた軸３６ａを中心として回転自在となっている。ここで、分岐箇所３５に対してどの方向から紙幣が送られるか、および分岐箇所３５に送られた紙幣をどの搬送路に搬送するかに基づいて、分岐部材３６の向き、より具体的には分岐部材３６の先端部分３６ｂの位置が決められるようになっている。
【００２８】
より詳細には、図４に示すように、分岐箇所３５に対して右側の搬送路３２から紙幣が搬送されたときには、分岐部材３６の先端部分３６ｂは右側の搬送路３２に向くようになっている。そして、分岐箇所３５の右側の搬送路３２から左側の搬送路３２に紙幣を送る際には、分岐部材３６が図４の実線に示すような向きとなるようこの分岐部材３６が軸３６ａを中心として回転させられ、分岐部材３６の先端部分３６ｂの位置が調整される。一方、分岐箇所３５の右側の搬送路３２から分岐搬送路３４に紙幣を送る際には、分岐部材３６が図４の二点鎖線に示すような向きとなるようこの分岐部材３６が軸３６ａを中心として回転させられ、分岐部材３６の先端部分３６ｂの位置が調整される。
【００２９】
また、図５に示すように、分岐箇所３５に対して左側の搬送路３２から紙幣が搬送されたときには、分岐部材３６の先端部分３６ｂは左側の搬送路３２に向くようになっている。そして、分岐箇所３５の左側の搬送路３２から分岐搬送路３４に紙幣を送る際には、分岐部材３６が図５の実線に示すような向きとなるようこの分岐部材３６が軸３６ａを中心として回転させられ、分岐部材３６の先端部分３６ｂの位置が調整される。一方、分岐箇所３５の左側の搬送路３２から右側の搬送路３２に紙幣を送る際には、分岐部材３６が図５の二点鎖線に示すような向きとなるようこの分岐部材３６が軸３６ａを中心として回転させられ、分岐部材３６の先端部分３６ｂの位置が調整される。
【００３０】
また、図６に示すように、分岐箇所３５に対して分岐搬送路３４から紙幣が搬送されたときには、分岐部材３６の先端部分３６ｂは分岐搬送路３４に向くようになっている。そして、分岐搬送路３４から分岐箇所３５の右側の搬送路３２に紙幣を送る際には、分岐部材３６が図６の実線に示すような向きとなるようこの分岐部材３６が軸３６ａを中心として回転させられ、分岐部材３６の先端部分３６ｂの位置が調整される。一方、分岐搬送路３４から分岐箇所３５の左側の搬送路３２に紙幣を送る際には、分岐部材３６が図６の二点鎖線に示すような向きとなるようこの分岐部材３６が軸３６ａを中心として回転させられ、分岐部材３６の先端部分３６ｂの位置が調整される。
【００３１】
このように、搬送部３０におけるループ形状の搬送路３２から分岐搬送路３４が分岐する分岐箇所３５に、それぞれ分岐爪からなる分岐部材３６が設けられており、この分岐部材３６は軸３６ａを中心として回転自在となっており、ループ形状の搬送路３２で搬送される紙幣を各収納カセット４０または一時保留用収納カセット４２に送る際に、紙幣が送られるべき収納カセット４０または一時保留用収納カセット４２に対応する分岐部材３６が回転することにより、搬送部３０により搬送される紙幣が特定の収納カセット４０または一時保留用収納カセット４２に振り分けられるようになる。また、分岐部材３６の向きを調整することにより、各収納カセット４０や一時保留用収納カセット４２から紙幣繰出機構４１、４３により分岐搬送路３４に繰り出された紙幣をループ形状の搬送路３２に送ることができるようになる。このような各分岐部材３６の動作は、後述する制御部７０により制御されるようになっている。
【００３２】
搬送部３０の上部に設けられた帯封部５０は、この搬送部３０から搬送された紙幣の帯封を行うようになっている。この帯封部５０の具体的な構成について図３を用いて説明する。前述のように、図３において、参照符号Ｓ´は積層状態に集積されたバラ紙幣の束を示し、参照符号Ｔは帯封紙幣を示す。
【００３３】
図３に示すように、帯封部５０には、搬送部３０から１枚ずつ送られた紙幣が積層状態で集積される一時保留ステージ５１が設けられており、この一時保留ステージ５１の近傍には束ガイド部材５８が設けられている。また、帯封部５０には搬送アーム５２が設けられており、この搬送アーム５２は、一時保留ステージ５１に積層状態で集積されたバラ紙幣の束Ｓ´を一括して搬送するようになっている。より具体的には、一時保留ステージ５１に集積されたバラ紙幣の束Ｓ´は、搬送アーム５２によって一時保留ステージ５１から引き抜かれるが、束ガイド部材５８が上下に設けられているので、引き抜かれた時にバラ紙幣の束Ｓ´の端部の広がりを防止することができる。また、搬送アーム５２は上アーム部分５２ａおよび下アーム部分５２ｂから構成されており、上アーム部分５２ａおよび下アーム部分５２ｂにより紙幣を上下から掴むようになっている。そして、上アーム部分５２ａが上下動することで紙幣を掴んだり離したりするようになっている。このような搬送アーム５２の動作は、後述する制御部７０により制御されるようになっている。
【００３４】
また、帯封部５０は、上部札締め部材５３と、下部札締め部材５４と、ヒータ５６と、帯封紙供給部５７と、印字部６７とを有している。これらの上部札締め部材５３、下部札締め部材５４、ヒータ５６、帯封紙供給部５７および印字部６７により帯封機構５９が構成されている。前述のように搬送アーム５２にバラ紙幣の束Ｓ´が引き渡された後、この搬送アーム５２は上部札締め部材５３と下部札締め部材５４との間の位置に移動する。そして、搬送アーム５２上にあるバラ紙幣の束Ｓ´に対して帯封紙供給部５７から帯封紙が供給され、バラ紙幣の束Ｓ´が帯封紙で巻かれる。その後、帯封紙で巻かれたバラ紙幣の束Ｓ´は、上部札締め部材５３および下部札締め部材５４により上下方向から挟圧されるとともに、ヒータ５６により加熱させられる。このことにより、帯封紙によってバラ紙幣の束Ｓ´の帯封処理（結束処理）が行われ、帯封紙幣Ｔが形成されることとなる。このような帯封機構５９の動作は、後述する制御部７０により制御されるようになっている。
【００３５】
また、帯封部５０には、帯封紙幣Ｔの帯封紙に対して印字を行うスタンプ５５が設けられている。帯封機構５９により帯封処理が行われた帯封紙幣Ｔはスタンプ５５に送られ、このスタンプ５５によって帯封紙幣Ｔの帯封紙に対して、銀行名や、正券か損券かを示す印等の押印が行われる。また、帯封部５０には、帯封紙に日付やシリアルナンバー等の印字を行うための印字部６７が設けられており、帯封紙供給部５７から帯封紙が供給される際にこの印字部６７により帯封紙に対して印字が行われるようになっている。
【００３６】
その後、帯封紙幣Ｔは搬送アーム５２により帯封紙幣出金口６０に送られる。ここで、シャッター機構６２が帯封紙幣出金口６０の開口部を閉じた状態で、帯封紙幣出金口６０には複数の束の帯封紙幣Ｔを集積させることができるようになっている。そして、帯封紙幣出金口６０に複数の束の帯封紙幣Ｔが集積された後、シャッター機構６２が帯封紙幣出金口６０の開口部を開くことにより、操作者は複数の束の帯封紙幣Ｔを一括して取り出すことができるようになっている。このように、帯封紙幣出金口６０は、帯封紙幣Ｔを筐体１２の内部から外部に投出するための帯封紙幣投出口としての機能を有している。なお、シャッター機構６２は、帯封紙幣出金口６０に所定の数の帯封紙幣Ｔが集積されるまで帯封紙幣出金口６０の開口部を開かないよう構成されている。また、上述のようなシャッター機構６２の動作は、後述する制御部７０により制御されるようになっている。
【００３７】
また、搬送アーム５２は側面視で帯封部５０の略中央位置に配置され、一時保留ステージ５１、帯封機構５９、スタンプ５５、印字部６７および帯封紙幣出金口６０は搬送アーム５２の周囲に配置されている。そして、搬送アーム５２は、これらの一時保留ステージ５１、帯封機構５９、スタンプ５５および帯封紙幣出金口６０の間で移動自在となっている。
【００３８】
次に、帯封紙幣出金口６０およびシャッター機構６２の具体的な構成について図７乃至図９を用いて説明する。ここで、図７は、帯封紙幣出金口およびシャッター機構の構成を示す側面図であり、図８は、図７に示す帯封紙幣出金口に設けられた出金口ステージおよびこの出金口ステージの上方の空間に進入した搬送アームのＡ−Ａライン矢視による上面図である。また、図９は、図７に示す帯封紙幣出金口に設けられた出金口ステージおよび爪部材のＢ−Ｂライン矢視による上面図である。なお、図７および図８において参照符号Ｔは帯封紙幣を示し、参照符号Ｔａは帯封紙幣に巻かれた帯封紙を示す。
【００３９】
図７に示すように、帯封紙幣出金口６０の下部には、帯封紙幣Ｔが載置される昇降自在の出金口ステージ６１が設けられている。この出金口ステージ６１の動作は、後述する制御部７０により制御されるようになっている。ここで、出金口ステージ６１には１つの帯封紙幣Ｔが集積されるようになっている。また、図７および図８に示すように、出金口ステージ６１の縁部からは側壁部６１ａが上方に延びるよう設けられている。より具体的には、図８に示すように、左右一対の２つの側壁部６１ａが出金口ステージ６１から上方に延びるよう設けられており、これらの２つの側壁部６１ａの間には、搬送アーム５２が進入可能な空間が形成されている。
【００４０】
図７に示すように、帯封紙幣Ｔが載置された搬送アーム５２が出金口ステージ６１の上方の空間に進入することができるようになっている。より具体的には、帯封紙幣Ｔが載置された搬送アーム５２は出金口ステージ６１の側壁部６１ａよりも上方の高さレベルにおいて出金口ステージ６１の上方の空間に進入し、その後、搬送アーム５２は下降するようになっている。そして、出金口ステージ６１の底部の近傍の位置まで搬送アーム５２が下降すると、搬送アーム５２の上アーム部分５２ａが上昇し、この搬送アーム５２は図８に示すような左右一対の側壁部６１ａの間の空間を通って出金口ステージ６１の上方の空間から退避するようになっている。搬送アーム５２が出金口ステージ６１の上方の空間から退避する際に、この搬送アーム５２に載置された帯封紙幣Ｔは側壁部６１ａに引っ掛かり、搬送アーム５２が退避した後にこの帯封紙幣Ｔは出金口ステージ６１上に引き渡されることとなる。
【００４１】
帯封紙幣出金口６０には、鉛直方向に沿って延びるガイド部材６３、６４、６５が設けられている。これらのガイド部材６３、６４、６５の間に、帯封紙幣Ｔが集積されるスペースが形成されている。ここで、ガイド部材６３とガイド部材６４とは互いに対向するよう設けられており、ガイド部材６５はガイド部材６４の上方に設けられている。また、ガイド部材６３の上部には、帯封紙幣Ｔの上方への動きを規制する規制部材６８が取り付けられている。この規制部材６８は、帯封紙幣出金口６０の上部において出金口ステージ６１と対向する位置に設けられている。
【００４２】
また、図７および図９に示すように、爪部材６６がガイド部材６３およびガイド部材６４に設けられている。図７に示すように、各爪部材６６はそれぞれ軸６６ａによりガイド部材６３やガイド部材６４に枢支されており、各爪部材６６は図７に示すような略水平方向に延びる状態から上方にのみ回動することができるようになっている。より具体的には、各爪部材６６は図示しない捩りバネが設けられており、軸６６ａを中心として爪部材６６を略水平方向に延びる状態から上方に回動させる場合にはこの捩りバネの捩り力に逆らって爪部材６６を回動させることとなる。
【００４３】
帯封紙幣出金口６０において、複数の束の帯封紙幣Ｔは各爪部材６６上に載置されるよう集積されるようになっている。すなわち、各爪部材６６は、当該爪部材６６に下方から力が作用していないときには略水平方向に延び、この略水平方向に延びる各爪部材６６上に複数の帯封紙幣Ｔが載置されるようになっている。そして、シャッター機構６２が開いたときには、操作者は各爪部材６６上にある複数の束の帯封紙幣Ｔを一括して取り出すことができるようになっている。
【００４４】
また、図９に示すように、帯封紙幣出金口６０において爪部材６６は合計５つ設けられており、帯封紙幣出金口６０の上方から見て、出金口ステージ６１には各爪部材６６に対応して５つの切欠部が形成されている。すなわち、出金口ステージ６１が各爪部材６６を通過するよう昇降した際に、出金口ステージ６１を上方から見て各爪部材６６はこの出金口ステージ６１に形成された各切欠部の位置に設けられているため、出金口ステージ６１が各爪部材６６に衝突することはない。
【００４５】
図７等に示すように、シャッター機構６２は外側シャッター部材６２ａおよび内側シャッター部材６２ｂの２枚のシャッター部材から構成されており、これらの２枚のシャッター部材６２ａ、６２ｂが二重構造となっている。そして、内側シャッター部材６２ｂが外側シャッター部材６２ａと重なった時点で、両方のシャッター部材６２ａ、６２ｂが重なって開くようになっている。なお、シャッター機構６２の内側には前述のようにガイド部材６５が設けられているため、シャッター機構６２が閉まっているときには各爪部材６６上にある複数の束の帯封紙幣Ｔがガイド部材６５によりガイドされ、帯封紙幣Ｔが散乱しないようになっている。
【００４６】
帯封部５０により帯封が行われた帯封紙幣Ｔを、帯封紙幣出金口６０の各爪部材６６上に集積させる方法については後述する。
【００４７】
なお、本実施の形態の紙幣処理装置１０においては、搬送アーム５２は、一時保留ステージ５１に積層状態で集積されたバラ紙幣の束Ｓ´を一括して帯封紙幣出金口６０に直接搬送することができるようになっている。この場合、搬送アーム５２から出金口ステージ６１にバラ紙幣の束Ｓ´が受け渡され、その後、出金口ステージ６１が上昇することによりこの出金口ステージ６１から各爪部材６６上にバラ紙幣の束Ｓ´が受け渡され、バラ紙幣の束Ｓ´は出金口ステージ６１の各爪部材６６上に集積されることとなる。
【００４８】
一時保留ステージ５１に積層状態で集積されたバラ紙幣の束Ｓ´を、搬送アーム５２により一括して帯封紙幣出金口６０の各爪部材６６上に集積させる方法については後述する。
【００４９】
図１２に示すように、紙幣処理装置１０には、当該紙幣処理装置１０の各構成要素を制御するための制御部７０が設けられている。より具体的には、制御部７０には、紙幣繰出機構２１、シャッター機構２２、搬送部３０、識別部３１、分岐部材３６、紙幣繰出機構４１、紙幣繰出機構４３、搬送アーム５２、帯封機構５９、出金口ステージ６１およびシャッター機構６２等がそれぞれ接続されている。そして、識別部３１による紙幣の識別結果が制御部７０に送られるとともに、制御部７０は、紙幣繰出機構２１、シャッター機構２２、搬送部３０、分岐部材３６、紙幣繰出機構４１、紙幣繰出機構４３、搬送アーム５２、帯封機構５９、出金口ステージ６１およびシャッター機構６２等に指令信号を送りこれらの構成要素の制御を行うようになっている。
【００５０】
また、制御部７０には、表示部７２、操作部７４および記憶部７６がそれぞれ接続されている。図１に示すように、表示部７２および操作部７４はそれぞれ筐体１２の上面に設けられており、表示部７２には紙幣処理装置１０による紙幣の処理状況、より具体的には例えば各収納カセットに収納された紙幣の金種毎の枚数が表示されるようになっている。また、操作者は操作部７４により制御部７０に対して様々な指令を送ることができるようになっている。また、記憶部７６には、紙幣処理装置１０による紙幣の処理状況が記憶されるようになっている。
【００５１】
また、制御部７０にはインターフェース７８が設けられており、このインターフェース７８を介して制御部７０はホストコンピュータ等の上位装置と信号の送受信を行うことができるようになっている。
【００５２】
次に、上述のような構成からなる紙幣処理装置１０の動作について説明する。なお、以下に示す紙幣処理装置１０の動作は、制御部７０が各構成要素を制御することにより行われる。
【００５３】
最初に、紙幣処理装置１０への紙幣の入金処理について説明する。紙幣の入金処理を行う際には、まず、紙幣処理装置１０における入出金口２０のシャッター機構２２を開き、操作者がバラ紙幣Ｓの束を入出金口２０に投入する。そして、シャッター機構２２を閉じると、入出金口２０に投入されたバラ紙幣Ｓは紙幣繰出機構２１により１枚ずつ搬送部３０に繰り出される。紙幣繰出機構２１により搬送部３０に繰り出された紙幣はループ形状の搬送路３２に搬送され、識別部３１によりその金種や正損、真偽等の識別が行われる。識別部３１により正常な紙幣ではないリジェクト紙幣であると識別された紙幣や、識別部３１により識別することができなかった紙幣は、搬送部３０から入金リジェクト部２４に送られ、この入金リジェクト部２４で集積される。一方、識別部３１により正常な紙幣であると識別された紙幣は、一時保留用収納カセット４２に対応する分岐箇所３５（図３における一番右側の分岐箇所３５）においてループ形状の搬送路３２から分岐部材３６により分岐搬送路３４に送られ、一時保留用収納カセット４２に搬送されることとなる。この一時保留用収納カセット４２において、ループ形状の搬送路３２から分岐搬送路３４を介して送られた紙幣が積層状態で一時的に保留される。
【００５４】
その後、紙幣の入金処理の確定が行われると、一時保留用収納カセット４２に一時的に保留された紙幣は識別部３１を通り、金種別に各収納カセット４０に送られる。この際に、一時保留用収納カセット４２からループ形状の搬送路３２に紙幣が一旦戻され、このループ形状の搬送路３２で搬送される紙幣が各分岐部材３６により各収納カセット４０に金種別に振り分けられることにより、ループ形状の搬送路３２から各分岐搬送路３４を介して各収納カセット４０に紙幣が送られ、紙幣が積層状態で金種別に各収納カセット４０に収納されることとなる。
【００５５】
次に、紙幣処理装置１０からのバラ紙幣の出金処理について説明する。なお、本実施の形態の紙幣処理装置１０においては、バラ紙幣の出金処理を行うにあたり、筐体１２内にあるバラ紙幣を入出金口２０および帯封紙幣出金口６０のうちどちらの出金口により筐体１２の外部に投出するかを選択することができるようになっている。紙幣処理装置１０からのバラ紙幣の出金処理について、図１３に示すフローチャートを用いてより詳細に説明する。
【００５６】
バラ紙幣の出金処理を行うにあたり、操作者は、操作部７４により、バラ紙幣を、バラ紙幣の入出金口２０および帯封紙幣出金口６０のうちどちらの出金口により筐体１２の外部に投出するかを選択する（図１３のＳＴＥＰ１）。このことにより、制御部７０において、バラ紙幣を入出金口２０および帯封紙幣出金口６０のうちどちらの出金口により筐体１２の外部に投出するかが設定される。なお、操作者が操作部７４により選択を行う代わりに、上位装置からインターフェース７８を介して、バラ紙幣を入出金口２０および帯封紙幣出金口６０のうちどちらの出金口により筐体１２の外部に投出するかの指令が制御部７０に送られるようになっていてもよい。
【００５７】
ここで、制御部７０において、バラ紙幣を、バラ紙幣の入出金口２０により筐体１２の外部に投出することが設定された場合には（図１３のＳＴＥＰ２の「ＹＥＳ」）、各収納カセット４０に収納された紙幣が紙幣繰出機構４１により搬送部３０に１枚ずつ繰り出され、搬送部３０に繰り出された紙幣は識別部３１により識別が行われる（図１３のＳＴＥＰ３）。そして、正常な紙幣であると識別された紙幣は搬送部３０から入出金口２０に１枚ずつ送られ、この入出金口２０でバラ紙幣Ｓが積層状態に集積される（図１３のＳＴＥＰ４）。一方、識別部３１により識別することができなかった紙幣や、重なって搬送されたり斜行して搬送されたりした紙幣は、搬送部３０から出金リジェクト部２６に送られ、この出金リジェクト部２６で集積される。
【００５８】
その後、入出金口２０のシャッター機構２２が開くことにより、操作者は入出金口２０に集積されたバラ紙幣Ｓの束を取り出すことができるようになる（図１３のＳＴＥＰ５）。
【００５９】
ここで、上述のような、バラ紙幣Ｓを入出金口２０により筐体１２の外部に投出する動作を行う際に、帯封紙幣Ｔを帯封紙幣出金口６０により筐体１２の外部に投出する動作を並行して行うことができる。帯封紙幣Ｔを帯封紙幣出金口６０により筐体１２の外部に投出する動作の詳細については後述する。
【００６０】
一方、制御部７０において、バラ紙幣を帯封紙幣出金口６０により筐体１２の外部に投出することが設定された場合には（図１３のＳＴＥＰ２の「ＮＯ」）、各収納カセット４０に収納された紙幣が紙幣繰出機構４１により収納カセット４０から搬送部３０に１枚ずつ繰り出され、搬送部３０に繰り出された紙幣は識別部３１により識別が行われる。そして、正常な紙幣であると識別された紙幣は搬送部３０の上部にある帯封部５０に搬送される（図１３のＳＴＥＰ６）。より具体的には、搬送部３０から一時保留ステージ５１上に紙幣が１枚ずつ送られ、この一時保留ステージ５１上で複数の紙幣が積層状態で集積される。なお、識別部３１により識別することができなかった紙幣や、重なって搬送されたり斜行して搬送されたりした紙幣は、搬送部３０から出金リジェクト部２６に送られ、この出金リジェクト部２６で集積される。
【００６１】
その後、一時保留ステージ５１上にある積層状態の複数のバラ紙幣の束Ｓ´は、搬送アーム５２によって、束ガイド部材５８でバラ紙幣の端部の広がりを防止するために押さえられながら一括して搬送され、帯封紙幣出金口６０に直接送られる（図１３のＳＴＥＰ７）。より具体的には、搬送アーム５２から出金口ステージ６１にバラ紙幣の束Ｓ´が受け渡され、その後出金口ステージ６１が上昇することによりこの出金口ステージ６１から各爪部材６６上にバラ紙幣の束Ｓ´が受け渡され、バラ紙幣の束Ｓ´は出金口ステージ６１の各爪部材６６上に集積されることとなる。
【００６２】
その後、シャッター機構６２が開くことにより、操作者は帯封紙幣出金口６０の各爪部材６６上にあるバラ紙幣の束Ｓ´を一括して取り出すことができるようになる（図１３のＳＴＥＰ８）。
【００６３】
なお、紙幣処理装置１０においてバラ紙幣の出金処理を行うにあたり、入出金口２０および帯封紙幣出金口６０の両方の出金口を用いて、バッチ方式の紙幣の出金処理を行うこともできる。バッチ方式の紙幣の出金処理とは、筐体１２内にあるバラ紙幣を筐体１２の外部に投出する際に、まず、入出金口２０および帯封紙幣出金口６０のうち一方の出金口にバラ紙幣を送り、この一方の出金口に所定の枚数のバラ紙幣が送られたら他方の出金口に残りのバラ紙幣を送るような処理のことをいう。そして、他方の出金口にバラ紙幣を送っている間に、操作者は一方の出金口からバラ紙幣の束を取り出す。その後、他方の出金口に所定の枚数のバラ紙幣が送られたら一方の出金口に残りのバラ紙幣が送られるようになる。バッチ方式の紙幣の出金処理においては、所定の枚数ずつバラ紙幣が入出金口２０および帯封紙幣出金口６０に交互に送られることとなる。
【００６４】
次に、紙幣処理装置１０からの帯封紙幣の出金処理について説明する。帯封紙幣の出金処理を行う際に、各収納カセット４０に収納された紙幣が紙幣繰出機構４１により収納カセット４０から搬送部３０に１枚ずつ繰り出され、搬送部３０に繰り出された紙幣は識別部３１により識別が行われる。そして、正常な紙幣であると識別された紙幣は搬送部３０の上部にある帯封部５０に搬送される。より具体的には、搬送部３０から一時保留ステージ５１上に紙幣が１枚ずつ送られ、この一時保留ステージ５１上で複数の紙幣が積層状態で集積される。なお、識別部３１により識別することができなかった紙幣や、重なって搬送されたり斜行して搬送されたりした紙幣は、搬送部３０から出金リジェクト部２６に送られ、この出金リジェクト部２６で集積される。その後、一時保留ステージ５１上にある積層状態の複数のバラ紙幣の束Ｓ´は、搬送アーム５２によって、束ガイド部材５８でバラ紙幣の端部の広がりを防止するために押さえられながら一括して搬送される。
【００６５】
その後、搬送アーム５２は上部札締め部材５３と下部札締め部材５４との間の位置に移動する。そして、搬送アーム５２上にあるバラ紙幣の束Ｓ´に対して帯封紙供給部５７から帯封紙が供給され、バラ紙幣の束Ｓ´が帯封紙で巻かれる。なお、帯封紙供給部５７から帯封紙が供給される際に、この帯封紙に対して印字部６７により日付やシリアルナンバー等の印字が行われる。その後、帯封紙で巻かれたバラ紙幣の束Ｓ´は、上部札締め部材５３および下部札締め部材５４により上下方向から挟圧されるとともに、ヒータ５６により加熱させられる。このことにより、帯封紙によってバラ紙幣の束Ｓ´の帯封処理（結束処理）が行われ、帯封紙幣Ｔが形成される。
【００６６】
その後、搬送アーム５２により帯封紙幣がスタンプ５５に送られ、このスタンプ５５によって帯封紙幣Ｔの帯封紙に対して銀行名等の印字が行われる。
【００６７】
その後、帯封紙幣Ｔは帯封部５０から帯封紙幣出金口６０に送られ、この帯封紙幣出金口６０の各爪部材６６上に集積させられる。ここで、シャッター機構６２が帯封紙幣出金口６０を閉じた状態で、帯封紙幣出金口６０の各爪部材６６上には複数の束の帯封紙幣Ｔを集積させることができるようになっている。
【００６８】
帯封部５０により帯封が行われた帯封紙幣Ｔを、帯封紙幣出金口６０の各爪部材６６上に集積させる方法について図１０を用いてより詳細に説明する。
【００６９】
一例として、図１０（ａ）に示すように帯封紙幣出金口６０の各爪部材６６上に既に１つの帯封紙幣Ｔが載置されているような状態において、搬送アーム５２により帯封部５０から更に１つの帯封紙幣Ｔが帯封紙幣出金口６０に搬送される場合について説明する。この際に、出金口ステージ６１は帯封紙幣出金口６０の下部に位置している。図１０（ａ）に示すように、帯封紙幣Ｔが載置された搬送アーム５２は、出金口ステージ６１の側壁部６１ａよりも上方かつガイド部材６３よりも下方の高さレベルにおいて出金口ステージ６１の上方の空間に進入する。
【００７０】
その後、図１０（ｂ）に示すように、搬送アーム５２が出金口ステージ６１の底部の近傍の位置まで下降し、搬送アーム５２の上アーム部分５２ａが上方へ移動する。この際に、図８に示すように、搬送アーム５２は出金口ステージ６１の左右一対の側壁部６１ａの間の空間を通過する。そして、図１０（ｃ）に示すように、搬送アーム５２が図１０（ｂ）の右方に移動して出金口ステージ６１の上方の空間から退避する。ここで、搬送アーム５２が出金口ステージ６１の上方の空間から退避する際に、この搬送アーム５２に載置された帯封紙幣Ｔは側壁部６１ａに引っ掛かり、搬送アーム５２が退避した後にこの帯封紙幣Ｔは出金口ステージ６１上に引き渡されることとなる（図１０（ｃ）参照）。
【００７１】
そして、帯封紙幣Ｔが搬送アーム５２から出金口ステージ６１に引き渡された後、図１０（ｄ）に示すように、出金口ステージ６１が上昇する。出金口ステージ６１が上昇すると、この出金口ステージ６１に載置された帯封紙幣Ｔは図１０（ｄ）に示すように各爪部材６６に接触するが、出金口ステージ６１が図１０（ｄ）に示すような状態から更に上昇すると、図１０（ｅ）に示すように、出金口ステージ６１上の帯封紙幣Ｔが各爪部材６６を上方に押し上げ、軸６６ａを中心として各爪部材６６を上方に回動させる。そして、出金口ステージ６１が更に上昇すると、図１０（ｆ）に示すように、各爪部材６６はほぼ鉛直方向上方を向くよう帯封紙幣Ｔにより回動させられ、最終的には、各爪部材６６上に元々あった帯封紙幣Ｔと、出金口ステージ６１上の帯封紙幣Ｔとが重ね合わせられることとなる。
【００７２】
図１０（ｆ）に示すように、各爪部材６６上に元々あった帯封紙幣Ｔと、搬送アーム５２により新たに帯封紙幣出金口６０に送られた帯封紙幣Ｔとが出金口ステージ６１上で重ね合わせられ、更に出金口ステージ６１が各爪部材６６よりも上昇し、出金口ステージ６１が各爪部材６６から離間すると、各爪部材６６はそれぞれ軸６６ａを中心として下方に回動し、これらの爪部材６６は略水平方向に延びる状態に戻る。その後、出金口ステージ６１は下降する。このことにより、図１０（ｇ）に示すように、複数の束の帯封紙幣Ｔが、各爪部材６６上に集積されることとなる。なお、帯封紙幣出金口６０の上部において出金口ステージ６１と対向する位置に規制部材６８が設けられているので、この規制部材６８により、帯封紙幣Ｔの上方への動きが規制される。このことにより、各爪部材６６上に帯封紙幣Ｔを下方から集積させる際に、規制部材６８によって帯封紙幣の上方への膨らみが規制されるので、新券の帯封紙幣よりも厚さが大きくなりがちな流通紙幣の帯封紙幣は厚さ方向に圧縮されることとなる。このことにより、所定の束数の帯封紙幣を確実に各爪部材６６上に集積させることができる。
【００７３】
その後、シャッター機構６２が開くことにより、操作者は帯封紙幣出金口６０の各爪部材６６上にある複数の束の帯封紙幣Ｔを一括して取り出すことができるようになる。
【００７４】
なお、紙幣処理装置１０において帯封紙幣の出金処理を行うにあたり、帯封部５０により紙幣の帯封を行う際に、帯封部５０は所定枚数（例えば、１００枚）ごとに紙幣の帯封を行うようになっている。このため、搬送部３０により一時保留ステージ５１に複数のバラ紙幣が送られた後、帯封部５０により紙幣の帯封を行ったときに、所定枚数に満たないような端数の枚数（例えば、１〜９９枚）の紙幣が一時保留ステージ５１上に残る場合がある。具体的には、紙幣処理装置１０において帯封紙幣の出金処理を行うにあたり、例えば２５０枚の紙幣が搬送部３０により一時保留ステージ５１に送られた場合、帯封部５０により２つの帯封紙幣Ｔが形成されるが、５０枚のバラ紙幣が一時保留ステージ５１上に残ることとなる。
【００７５】
一時保留ステージ５１上に残った端数の枚数のバラ紙幣の束Ｓ´は、搬送アーム５２によって、束ガイド部材５８でバラ紙幣の端部の広がりを防止するために押さえられながら一括して搬送され、帯封紙幣出金口６０に直接送られる。帯封紙幣出金口６０の各爪部材６６上に既に帯封紙幣Ｔが載置されているような状態において、搬送アーム５２により帯封紙幣出金口６０にバラ紙幣の束Ｓ´が送られたときの動作について図１１を用いてより詳細に説明する。
【００７６】
一例として、図１１（ａ）に示すように帯封紙幣出金口６０の各爪部材６６上に既に２つの帯封紙幣Ｔが載置されているような状態において、搬送アーム５２によりバラ紙幣の束Ｓ´が帯封紙幣出金口６０に搬送される場合について説明する。この際に、出金口ステージ６１は帯封紙幣出金口６０の下部に位置している。図１１（ａ）に示すように、バラ紙幣の束Ｓ´が載置された搬送アーム５２は、出金口ステージ６１の側壁部６１ａよりも上方かつガイド部材６３よりも下方の高さレベルにおいて出金口ステージ６１の上方の空間に進入する。
【００７７】
その後、図１１（ｂ）に示すように、搬送アーム５２が出金口ステージ６１の底部の近傍の位置まで下降し、搬送アーム５２の上アーム部分５２ａが上方へ移動する。この際に、搬送アーム５２は出金口ステージ６１の左右一対の側壁部６１ａの間の空間を通過する。そして、図１１（ｃ）に示すように、搬送アーム５２が図１１（ｂ）の右方に移動して出金口ステージ６１の上方の空間から退避する。ここで、搬送アーム５２が出金口ステージ６１の上方の空間から退避する際に、この搬送アーム５２に載置されたバラ紙幣の束Ｓ´は側壁部６１ａに引っ掛かり、搬送アーム５２が退避した後にこのバラ紙幣の束Ｓ´は出金口ステージ６１上に引き渡されることとなる（図１１（ｃ）参照）。
【００７８】
そして、バラ紙幣の束Ｓ´が搬送アーム５２から出金口ステージ６１に引き渡された後、図１１（ｄ）に示すように、出金口ステージ６１が上昇する。出金口ステージ６１が上昇すると、この出金口ステージ６１に載置されたバラ紙幣の束Ｓ´は図１１（ｄ）に示すように各爪部材６６に接触するが、出金口ステージ６１が図１１（ｄ）に示すような状態から更に上昇すると、図１１（ｅ）に示すように、出金口ステージ６１上のバラ紙幣の束Ｓ´が各爪部材６６を上方に押し上げ、軸６６ａを中心として各爪部材６６を上方に回動させる。そして、出金口ステージ６１が更に上昇すると、図１１（ｆ）に示すように、各爪部材６６はほぼ鉛直方向上方を向くようバラ紙幣の束Ｓ´により回動させられ、最終的には、各爪部材６６上に元々あった帯封紙幣Ｔと、出金口ステージ６１上のバラ紙幣の束Ｓ´とが重ね合わせられることとなる。
【００７９】
図１１（ｆ）に示すように、各爪部材６６上に元々あった帯封紙幣Ｔと、搬送アーム５２により帯封紙幣出金口６０に送られたバラ紙幣の束Ｓ´とが出金口ステージ６１上で重ね合わせられ、更に出金口ステージ６１が各爪部材６６よりも上昇し、出金口ステージ６１が各爪部材６６から離間すると、各爪部材６６はそれぞれ軸６６ａを中心として下方に回動し、これらの爪部材６６は略水平方向に延びる状態に戻る。その後、出金口ステージ６１は下降する。このことにより、図１１（ｇ）に示すように、帯封紙幣Ｔの下方にバラ紙幣の束Ｓ´が位置するよう、帯封紙幣Ｔおよびバラ紙幣の束Ｓ´が各爪部材６６上に集積されることとなる。
【００８０】
その後、シャッター機構６２が開くことにより、操作者は帯封紙幣出金口６０の各爪部材６６上にある帯封紙幣Ｔおよびバラ紙幣の束Ｓ´を一括して取り出すことができるようになる。
【００８１】
以上のように本実施の形態の紙幣処理装置１０によれば、筐体１２内にあるバラ紙幣を、バラ紙幣の入出金口２０（バラ紙幣投出口）および帯封紙幣出金口６０（帯封紙幣投出口）のうちどちらの投出口により筐体１２の外部に投出するかを選択することができる。このため、操作者の希望に応じて、バラ紙幣Ｓおよび帯封紙幣Ｔを帯封紙幣出金口６０からまとめて投出するか、あるいはバラ紙幣Ｓを入出金口２０から投出させることによりバラ紙幣Ｓおよび帯封紙幣Ｔを２つの投出口からそれぞれ別々に投出するかを選ぶことができるようになる。
【００８２】
ここで、バラ紙幣Ｓを入出金口２０から投出させることによりバラ紙幣および帯封紙幣Ｔを２つの投出口からそれぞれ別々に投出する場合は、バラ紙幣Ｓの処理および帯封紙幣Ｔの処理を並行して行うことができるようになるので紙幣を迅速に処理することができ、このため紙幣の効率的な投出動作を行うことができる。
【００８３】
一方、バラ紙幣Ｓを帯封紙幣出金口６０から投出させることによりバラ紙幣Ｓおよび帯封紙幣Ｔを帯封紙幣出金口６０からまとめて投出する場合は、操作者は一つの投出口（帯封紙幣出金口６０）からバラ紙幣Ｓおよび帯封紙幣Ｔの両方を取り出すこととなるので、操作者がバラ紙幣Ｓまたは帯封紙幣Ｔのうち一方の取り出しを忘れることを防止することできるようになり、操作者にとっての操作性を向上させることができる。すなわち、バラ紙幣Ｓを入出金口２０から投出させることによりバラ紙幣Ｓおよび帯封紙幣Ｔを２つの投出口からそれぞれ別々に投出する場合は、操作者がバラ紙幣Ｓまたは帯封紙幣Ｔの一方を取り出したときに他方の紙幣を取り出し忘れてしまうおそれがあるが、バラ紙幣Ｓおよび帯封紙幣Ｔを帯封紙幣出金口６０からまとめて投出する場合には、このようなトラブルを防止することができる。
【００８４】
以上のように、筐体１２内にあるバラ紙幣を、バラ紙幣の入出金口２０および帯封紙幣出金口６０のうちどちらの投出口により筐体１２の外部に投出するかを選択することができるようにすることによって、紙幣処理装置１０を、操作者にとって使い勝手の良いものとすることができる。
【００８５】
また、本実施の形態の紙幣処理装置１０においては、筐体１２の内部に設けられ、積層状態に集積された複数のバラ紙幣を帯封するための帯封部５０を更に備えており、帯封紙幣出金口６０は、帯封部５０により帯封が行われた帯封紙幣Ｔを筐体１２の内部から外部に投出するようになっている。
【００８６】
また、帯封部５０は、複数のバラ紙幣が積層状態に集積される一時保留ステージ５１（一時保留部）と、積層状態に集積された複数のバラ紙幣の帯封を行う帯封機構５９と、一時保留ステージ５１にあるバラ紙幣の束Ｓ´を帯封機構５９に搬送するとともに、帯封機構５９により帯封が行われた帯封紙幣Ｔを帯封機構５９から帯封紙幣出金口６０に搬送する搬送アーム５２とを有している。そして、筐体１２内にあるバラ紙幣を帯封紙幣出金口６０により筐体１２の外部に投出する際には、一時保留ステージ５１にバラ紙幣を送り、搬送アーム５２により一時保留ステージ５１から帯封紙幣出金口６０にバラ紙幣の束Ｓ´が直接搬送されるようになっている。
【００８７】
また、本実施の形態の紙幣処理装置１０においては、帯封紙幣出金口６０には、帯封紙幣Ｔやバラ紙幣Ｓを載置するための爪部材６６（載置機構）と、爪部材６６の下方において昇降自在に設けられた出金口ステージ６１（昇降台）とが設けられており、帯封紙幣出金口６０に送られた帯封紙幣Ｔやバラ紙幣の束Ｓ´はまず出金口ステージ６１に載せられ、この出金口ステージ６１が上昇して爪部材６６に到達することにより出金口ステージ６１上の帯封紙幣Ｔやバラ紙幣の束Ｓ´が爪部材６６に引き渡されるようになっている。このような紙幣処理装置１０によれば、帯封紙幣Ｔやバラ紙幣の束Ｓ´は下方から爪部材６６に載置されることとなるので、帯封紙幣やバラ紙幣が自由落下により帯封紙幣出金口に集積されるタイプのものと比較して、帯封紙幣やバラ紙幣の束が厚さ方向に圧縮されるので、帯封紙幣やバラ紙幣の束の集積高さ（厚さ）を小さくすることができる。また、帯封紙幣やバラ紙幣が自由落下により帯封紙幣出金口に集積されるタイプのものと比較して、帯封紙幣出金口６０における帯封紙幣やバラ紙幣の束の集積不良等のトラブルが発生しにくくなる。
【００８８】
また、図１１に示すように、帯封紙幣出金口６０により帯封紙幣Ｔおよびバラ紙幣の束Ｓ´の両方の紙幣を筐体１２の内部から外部に投出する際に、まず帯封紙幣Ｔが爪部材６６に載置され、次にバラ紙幣の束Ｓ´が載せられた出金口ステージ６１が上昇して爪部材６６に到達することにより帯封紙幣Ｔの下方において出金口ステージ６１上のバラ紙幣の束Ｓ´が爪部材６６に引き渡されるようになっている。このため、バラ紙幣の束Ｓ´が出金口ステージ６１から爪部材６６に引き渡される際に、このバラ紙幣の束Ｓ´は帯封紙幣Ｔの自重により下方に押圧されながら上方に押し上げるように爪部材６６に引き渡されることとなるので、帯封紙幣やバラ紙幣が自由落下により帯封紙幣出金口に集積されるタイプのものと比較して、バラ紙幣の束Ｓ´を整った状態で爪部材６６に載置することができる。
【００８９】
また、本実施の形態の紙幣処理装置１０においては、筐体１２内にあるバラ紙幣を筐体１２の外部に投出する際に、まず、入出金口２０および帯封紙幣出金口６０のうち一方の出金口にバラ紙幣を送り、この一方の出金口に所定の枚数のバラ紙幣が送られたら他方の出金口に残りのバラ紙幣を送るような、２つの出金口２０、６０を用いてのバッチ方式の紙幣の投出処理を行うことができるようになっている。
【００９０】
また、本実施の形態の紙幣処理装置１０は、筐体１２と、筐体１２の外部から内部に紙幣を投入するための入出金口２０（入金口）と、筐体１２の下部に配置され、略水平方向に沿って並列に複数設けられた、紙幣の収納を行うための収納カセット４０（収納庫）と、筐体１２の内部において各収納カセット４０と並列に配置され、入出金口２０により筐体１２の外部から内部に投入された紙幣を一時的に保留するための一時保留用収納カセット４２（一時保留用収納庫）と、筐体１２の内部において各収納カセット４０および一時保留用収納カセット４２の上方に設けられ、入出金口２０、各収納カセット４０および一時保留用収納カセット４２の間で紙幣の搬送を行う搬送部３０と、搬送部３０における各収納カセット４０または一時保留用収納カセット４２への分岐箇所３５にそれぞれ設けられ、搬送部３０により搬送される紙幣を特定の収納カセット４０または一時保留用収納カセット４２に振り分けるための複数の分岐部材３６と、を備えている。
【００９１】
このような紙幣処理装置１０によれば、筐体１２の内部において、紙幣の収納を行うための複数の収納カセット４０と、紙幣を一時的に保留するための一時保留用収納カセット４２とが並列に配置されている。そして、搬送部３０における各収納カセット４０または一時保留用収納カセット４２への分岐箇所３５にそれぞれ分岐部材３６が設けられており、これらの分岐部材３６により、搬送部３０により搬送される紙幣は特定の収納カセット４０または一時保留用収納カセット４２に振り分けられるようになっている。このように、各収納カセット４０と一時保留用収納カセット４２とが略水平方向に沿って並列に配置されているので、筐体１２の高さが大きくなってしまうことを抑止することができるとともに収納カセット４０および一時保留用収納カセット４２の容量を大きくすることができる。そして、収納カセット４０の容量を大きくすることができるので紙幣処理装置１０は紙幣を大量に収納することができ、また、一時保留用収納カセット４２の容量を大きくすることができるので一回の取引で大量の紙幣の入金処理を行うことができる。
【００９２】
また、本実施の形態の紙幣処理装置１０では、一時保留用収納カセット４２が各収納カセット４０と略同一の容量（紙幣収納量）を有するようにすることができる。この場合には、一時保留用収納カセット４２を収納カセット４０と同一部品で構成させることができるようになる。
【００９３】
また、搬送部３０は、各収納カセット４０および一時保留用収納カセット４２の上方に配置される横長のループ形状の搬送路３２を有している。このため、筐体１２の高さが大きくなってしまうことをより一層抑止することができる。また、筐体１２の奥行き方向に収納カセット４０を増設する場合にも、紙幣処理装置１０の内部の構成を大幅に変更する必要がなくなる。
【００９４】
また、搬送部３０は、ループ形状の搬送路３２からそれぞれ下方に分岐して各収納カセット４０および一時保留用収納カセット４２に接続される複数の分岐搬送路３４を有している。また、各分岐部材３６は、ループ形状の搬送路３２から分岐搬送路３４が分岐する分岐箇所３５に設けられる分岐爪からなり、各分岐部材３６は軸３６ａを中心として回転自在となっている。そして、ループ形状の搬送路３２で搬送される紙幣を各収納カセット４０または一時保留用収納カセット４２に送る際に、紙幣が送られるべき収納カセット４０または一時保留用収納カセット４２に対応する分岐部材３６が回転することにより搬送部３０により搬送される紙幣が特定の収納カセット４０または一時保留用収納カセット４２に振り分けられるようになっている。このような分岐爪からなる分岐部材３６が各分岐箇所３５に設けられていることにより、搬送部３０により搬送される紙幣を確実に特定の収納カセット４０または一時保留用収納カセット４２に振り分けることができる。
【００９５】
また、筐体１２の内部において搬送部３０の上方に帯封部５０が設けられているので、入出金口２０と帯封部５０の位置が近くなり、紙幣の出金処理のための紙幣処理装置１０の構成が簡単になる。また、入出金口２０の近傍に帯封紙幣出金口６０を設けているので、バラ紙幣と帯封紙幣の出金口を別々に配置しても操作者による各出金口からの紙幣の取り忘れをできるだけ防ぐようにすることができる。
【００９６】
なお、本実施の形態の紙幣処理装置１０は、上記の態様に限定されるものではなく、様々の変更を加えることができる。例えば、紙幣処理装置１０には必ずしも帯封部５０が設けられていなくともよい。この場合、紙幣処理装置１０において筐体１２の内部には帯封紙幣Ｔを収納するための帯封紙幣収納カセットが設けられており、帯封紙幣収納カセットから帯封紙幣Ｔが帯封紙幣出金口６０に送られることにより、帯封紙幣出金口６０から帯封紙幣Ｔが筐体１２の外部に投出されるようになっている。
【００９７】
また、本発明による紙葉類処理装置は、上記の態様に限定されるものではない。例えば、本発明による紙葉類処理装置は、紙幣の処理を行うような紙幣処理装置に限定されることはない。本発明による紙葉類処理装置は、小切手等の紙幣以外の他の紙葉類の処理を行うようになっていてもよい。
【図１】
2010097913.tif 000003
【図２】
2010097913.tif 000004
【図３】
2010097913.tif 000005
【図４】
2010097913.tif 000006
【図５】
2010097913.tif 000007
【図６】
2010097913.tif 000008
【図７】
2010097913.tif 000009
【図８】
2010097913.tif 000010
【図９】
2010097913.tif 000011
【図１０】
2010097913.tif 000012
【図１１】
2010097913.tif 000013
【図１２】
2010097913.tif 000014
【図１３】
2010097913.tif 000015
【国際調査報告】
2010097913.tif 000016
2010097913.tif 000017